(57)【要約】【課題】  カタログ毎のトリミング情報を管理し、複数の素材ファイルに対して一括してトリミング処理を行うデータベースシステム等を提供する。【解決手段】  ユーザは、ＤＴＰアプリケーションからツールを使用して、カタログ毎に素材ファイルのトリミング情報を取得し、素材ファイルに関連付けて商品情報データベースに登録する。カタログ制作を行う際、素材ファイルに組み込まれたトリミング情報、あるいは、素材ファイルに関連付けたトリミング情報を用いて、複数の素材ファイルを一括してトリミング処理する。【選択図】  図８
2006268270.tif 000002
【特許請求の範囲】
【請求項１】
登録利用者の端末装置と、サーバとがネットワークを介して接続されるシステムであって、
前記サーバは、
画像、前記画像のトリミング情報を含む情報を複数保持するデータベースと、
前記端末装置からの指定に対応して、前記画像のトリミング情報を前記画像と関連付けて、前記データベースに登録するトリミング情報登録手段と、
前記端末装置からの指定に対応して、複数の前記画像を前記トリミング情報に従って一括変換出力処理をする画像変換出力手段と、
を具備することを特徴とするデータベースシステム。
【請求項２】
前記トリミング情報登録手段は、前記端末装置からの指定に対応して、前記データベース内の前記画像に対して、遂次的に前記画像のトリミング情報を登録することを特徴とする請求項１記載のデータベースシステム。
【請求項３】
前記トリミング情報登録手段は、ＤＴＰアプリケーションから一括取得したトリミング情報を含むテキストファイルを用いて、複数の前記画像に対応する前記トリミング情報を一括登録することを特徴とする請求項１記載のデータベースシステム。
【請求項４】
登録利用者の端末装置と、ネットワークを介して接続されるサーバであって、
画像、前記画像のトリミング情報を含む情報を複数保持するデータベースと、
前記端末装置からの指定に対応して、前記画像のトリミング情報を前記画像と関連付けて、前記データベースに登録するトリミング情報登録手段と、
前記端末装置からの指定に対応して、複数の前記画像を前記トリミング情報に従って一括変換出力処理をする画像変換出力手段と、
を具備することを特徴とするサーバ。
【請求項５】
前記トリミング情報登録手段は、前記端末装置からの指定に対応して、前記データベース内の前記画像に対して、遂次的に前記画像のトリミング情報を登録することを特徴とする請求項４記載のサーバ。
【請求項６】
前記トリミング情報登録手段は、ＤＴＰアプリケーションから一括取得したトリミング情報を含むテキストファイルを用いて、複数の前記画像に対応する前記トリミング情報を一括登録することを特徴とする請求項４記載のサーバ。
【請求項７】
コンピュータを請求項４記載のサーバとして機能させるプログラム。
【請求項８】
コンピュータを請求項４記載のサーバとして機能させるプログラムを記録した記録媒体。
【発明の詳細な説明】
【技術分野】
【０００１】
本発明は、ネットワークを利用したデータベースシステムにおける複数の素材ファイルに対する一括したトリミング処理方法に関する。
【背景技術】
【０００２】
近年、カタログ制作を行う際、コンピュータの普及に伴い、カタログに載せる商品データをデータベース化して利用している。データベースと連携し、デスクトップパブリッシング（ＤＴＰ）等でカタログ制作作業を行い、その効率化が図られてきている。例えば、商品情報を蓄積したデータベースと、データベースの情報を管理し、データベースの情報の入出力、検索、閲覧等の機能を提供するサーバと複数のユーザ端末装置等からなるデータベースシステムがある。（例えば、特許文献１参照）
【０００３】
【特許文献１】特開２００１−３０６３７７号公報
【発明の開示】
【発明が解決しようとする課題】
【０００４】
しかしながら、商品の仕様等の商品情報、商品の画像や図表等の素材ファイルのような前回のカタログ制作データを流用してカタログ制作を行う場合、画像処理用のアプリケーションを使用して、素材ファイルに対してカタログ毎に元となる素材ファイルを１ファイルずつ変倍、回転等のトリミング処理を行っていたため、作業効率が悪かった。
【０００５】
また、カタログ毎にトリミング処理をした素材ファイルを管理しておき、その素材ファイルを次のカタログ制作時に流用するということも考えられるが、管理する素材ファイルの数が非常に多くなり、管理が煩雑になってしまう。
【０００６】
本発明は、このような問題に鑑みてなされたもので、その目的とするところは
カタログ毎のトリミング情報を管理し、複数の素材ファイルに対して一括してトリミング処理を行うデータベースシステム等を提供することにある。
【課題を解決するための手段】
【０００７】
前述した目的を達成するために第１の発明は、登録利用者の端末装置と、サーバとがネットワークを介して接続されるシステムであって、前記サーバは、画像、前記画像のトリミング情報を含む情報を複数保持するデータベースと、前記端末装置からの指定に対応して、前記画像のトリミング情報を前記画像と関連付けて、前記データベースに登録するトリミング情報登録手段と、前記端末装置からの指定に対応して、複数の前記画像を前記トリミング情報に従って一括変換出力処理をする画像変換出力手段と、を具備することを特徴とするデータベースシステムである。
【０００８】
ユーザは、端末装置上で画像に対してそれぞれトリミング情報を関連付け、データベースに登録してもよいし、あるいは、ＤＴＰアプリケーションを用いて画像のトリミング情報を含むテキストファイルを取得し、テキストファイルを用いて複数の画像に対応するトリミング情報を一括して登録することもできる。
【０００９】
第２の発明は、登録利用者の端末装置と、ネットワークを介して接続されるサーバであって、画像、前記画像のトリミング情報を含む情報を複数保持するデータベースと、前記端末装置からの指定に対応して、前記画像のトリミング情報を前記画像と関連付けて、前記データベースに登録するトリミング情報登録手段と、前記端末装置からの指定に対応して、複数の前記画像を前記トリミング情報に従って一括変換出力処理をする画像変換出力手段と、を具備することを特徴とするサーバである。
【００１０】
第３の発明は、コンピュータを第２の発明のサーバとして機能させるプログラムである。
【００１１】
第４の発明は、コンピュータを第２の発明のサーバとして機能させるプログラムを記録した記録媒体である。
【発明の効果】
【００１２】
本発明によれば、カタログ毎のトリミング情報を管理し、複数の素材ファイルに対して一括してトリミング処理を行うデータベースシステム等を提供することができる。
【発明を実施するための最良の形態】
【００１３】
以下、添付図面を参照しながら、本発明に係るデータベースシステム等の好適な実施形態について詳細に説明する。
【００１４】
最初に、図１を参照しながら、本発明の実施の形態に係るデータベースシステム１の構成について説明する。
図１は、データベースシステム１００の構成を示すブロック図である。
【００１５】
本発明に係るデータベースシステム１００は、ネットワークを介して接続されたサーバ１０１、端末装置１０３等で構成される。尚、データベースシステム１００は、ＷＷＷ(World Wide Web)技術を用いて実現した場合の構成図である。
【００１６】
ネットワーク１０９は、インターネット、ＬＡＮ(Local Area Network)等のネットワークであり、有線、無線を問わない。
【００１７】
サーバ１０１は、サーバコンピュータ等であり、ＷＷＷサーバ１１０、データベース操作手段１１１、データベースサーバ管理手段１１２、データベース管理手段１１３等を有する。
データベース操作手段１１１は、ＷＷＷサーバ１１０から呼び出され、商品情報データベース３０１の検索や、登録内容の参照、閲覧等を行う。
データベースサーバ管理手段１１２は、ユーザ１１４の登録や各種設定等のシステム運用・管理を行う。
データベース管理手段１１３は、データベースエンジン等であり、データベースへの検索、参照、登録、削除等の各種要求に対する処理を実行する。
【００１８】
ユーザ１０４は、商品情報データベース３０１を利用するため、予めサーバ１０１に登録された利用者であり、端末装置１０３を有する。
端末装置１０３には、ＷＷＷブラウザ１２０が実装されている。端末装置１０３は、ＷＷＷブラウザ１２０を介して、サーバ１０１のＷＷＷサーバ１１０にアクセスし、商品情報データベース３０１の操作要求、入力情報等を送信し、商品情報データベース３０１から取得した情報等を受信する。
端末装置１０３は、パーソナルコンピュータ、携帯情報端末ＰＤＡ(Personal Digital Assistant)等である。
【００１９】
サーバ管理者１０５は、データベースシステム１００の運用・管理等を行う管理者であり、端末装置１０３を有する。
【００２０】
図２は、サーバ１０１のハードウエア構成の１例を示す図であって、サーバ１０１はバス２０９により相互接続された制御部２０１、記憶装置２０２、メディア入出力部２０３、通信制御部２０４、入力部２０５、印刷部２０６、表示部２０７を有する。
【００２１】
制御部２０１は、プログラムの実行を行うＣＰＵ(central
processing unit)と、プログラム命令あるいはデータ等を格納するためのＲＯＭ(read only memory)、ＲＡＭ(random access memory)等のメモリから構成される。制御部２０１は、記憶装置２０２に格納されたプログラムに従って、サーバ１０１全体の動作を制御する。
【００２２】
記憶装置２０２は、サーバ１０１の動作に必要となるプログラム、データ等を保存している
【００２３】
メディア入出力部２０３は、ＣＤ−ＲＯＭ(compact
disc read only memory)あるいはＣＤ−ＲＷ(CD-ReWritable)、フレキシブルディスク、ＭＯ(magneto optic disc)等の媒体のドライブで、媒体からのデータの読み出し、媒体へのデータの書き込みを行う。
【００２４】
通信制御部２０４は、通信制御装置、通信ポート等であり、ネットワーク１０９を介したサーバ１０１、端末装置１０３間の通信を制御する。
【００２５】
入力部２０５は、キーボード、マウス等の入力装置である。
印刷部２０６はプリンタで、ユーザからの要求により必要な情報等の印刷を行う。
表示部２０７は、ＣＲＴ(cathode-ray
tube)あるいはＬＣＤ(liquid crystal
display)等の表示装置である。
【００２６】
図３は、サーバ１０１の記憶装置２０２の詳細を示す図であって、記憶装置２０２は、商品情報データベース３０１、制御プログラム３１１、アプリケーションプログラム３１２等を有する。
【００２７】
商品情報データベース３０１は、商品情報、素材ファイル、カタログ毎のトリミング情報等を保持する。尚、サーバ１０１が管理する商品情報データベース３０１は、必要に応じて複数存在してもよい。
【００２８】
制御プログラム３１１は、サーバ１０１が実行する処理全体を制御するプログラムで、ＷＷＷサーバ、データベース操作、データベース管理、データベースサーバ管理等、さまざまなアプリケーションプログラム３１２の管理等を行う。
【００２９】
図４は、端末装置１０３のハードウエア構成の１例を示す図であって、端末装置１０３は、バス４０９により相互接続された制御部４０１、記憶装置４０２、メディア入出力部４０３、通信制御部４０４、入力部４０５、印刷部４０６、表示部４０７を有する。
【００３０】
制御部４０１は、プログラムの実行を行うＣＰＵと、プログラム命令あるいはデータ等を格納するためのＲＯＭ、ＲＡＭ等のメモリから構成される。制御部４０１は、記憶装置４０２に格納されたプログラムに従って、端末装置１０３全体の動作を制御する。
【００３１】
記憶装置４０２は、端末装置１０３の動作に必要となるプログラム、データ等を保存している
【００３２】
メディア入出力部４０３は、ＣＤ−ＲＯＭあるいはＣＤ−ＲＷ、フレキシブルディスク、ＭＯ等の媒体のドライブで、媒体からのデータの読み出し、媒体へのデータの書き込みを行う。
【００３３】
通信制御部４０４は、通信制御装置、通信ポート等であり、ネットワーク１０９を介した端末装置１０３、サーバ１０１間の通信を制御する。
【００３４】
入力部４０５は、キーボード、マウス等の入力装置である。
印刷部４０６はプリンタで、ユーザからの要求により必要な情報等の印刷を行う。
表示部４０７は、ＣＲＴあるいはＬＣＤ等の表示装置である。
【００３５】
次に、図５、６を参照しながら、データベースシステム１００における商品情報データベース３０１の素材ファイルのトリミング情報の取得方法を説明する。図５は、使用画像リスト出力設定画面５００の一例を示す図、図６は、使用画像リスト出力テキストファイル６００の一例を示す図である。
【００３６】
ユーザ１０４が商品情報データベース３０１に登録されている素材ファイルのトリミング情報を取得するには、端末装置１０３上のＤＴＰアプリケーションからトリミング情報取得ツールを使用して、図５に示す使用画像リスト出力設定画面５００上でトリミング情報を設定する。
使用画像リスト出力設定画面５００は、画像選択５０２、出力レコード設定５０４、ＯＫボタン５２２、キャンセルボタン５２４等を有する。
【００３７】
画像選択５０２は、トリミング情報のリスト出力の対象となる画像の素材ファイルを選択する。ユーザ１０４は、全ての素材ファイルを対象とするか、あるいは、「．ｅｐｓ」のような特定の拡張子を持つ素材ファイルを対象とするかを、ラジオボタンをクリックすることにより選択する。
【００３８】
出力レコード設定５０４は、トリミング情報として取得する出力レコードを選択するもので、ページ５０６、ファイル名５０８、オフセット５１０、ボックス幅５１２、倍率５１４、角度５１６、ボックス位置５１８、フレーム幅５２０を有する。
【００３９】
ページ５０６は、カタログにおけるページを表す。
ファイル名５０８は、素材ファイルのファイル名で、フォルダ名、パス名を含む。
オフセット５１０は、素材ファイルの画像の原点から切り抜く矩形の原点までの水平方向、垂直方向の距離をポイントｐｔの単位で表す。
ボックス幅５１２は、素材ファイルの画像を切り抜く矩形の幅Ｗと高さＨをｍｍの単位で表す。
倍率５１４は、素材ファイルの画像の水平方向、垂直方向での拡大縮小の倍率を％の単位で表す。
角度５１６は、素材ファイルの画像を切り抜く矩形の原点を中心に回転させる角度を示すもので、反時計回りを正とする。
ボックス位置５１８は、カタログのページ内での素材ファイルの画像の位置をｍｍ単位で指定するもので、フレーム幅５２０は、画像を囲む枠の幅を示す。
【００４０】
出力レコード設定５０４のうち、オフセット５１０、ボックス幅５１２、倍率５１４、角度５１６は、トリミング情報としてリスト出力するかどうかを、チェックボックスを用いて選択することができる。
ユーザ１０４が、ＯＫボタン５２２をクリックすると、端末装置１０３の制御部４０１は、商品情報データベース３０１内の画像選択５０２で選択された素材ファイルを対象に、出力レコード設定５０４で設定されたレコードをトリミング情報としてテキストファイルに出力する。
【００４１】
図６は、トリミング情報として出力される使用画像リスト出力テキストファイル６００である。
使用画像リスト出力テキストファイル６００は、ページ６０４、フォルダ名６０４、ファイル名６０６、オフセットＸ６０８、オフセットＹ６１０、ボックス幅Ｗ６１２、ボックス幅Ｈ６１４、倍率Ｘ６１６、倍率Ｙ６１８、角度６２０、ボックス位置Ｘ６２２、ボックス位置Ｙ６２４、フレーム幅６２６を有する。
各レコード間はタブで区切られており、一つの素材ファイルのトリミング情報は１行となっている。
カタログの１ページ内に複数の画像がある場合、使用画像テキスト出力テキストファイル６００は、画像数分の行の使用画像リストを含む。
【００４２】
次に、図７、８、９、１０、１１、１２、１３、１４、１５、１６、１７、１８、１９、２０、２１を参照しながら、データベースシステム１００における商品情報データベース３０１への素材ファイルのトリミング情報の登録の動作を説明する。図７は、データベースシステム１００のユーザログイン時の動作のフローチャート、図８は、メイン画面８００の一例を示す図、図９は、トリミング情報の遂次登録の動作のフローチャート、図１０は、メイン画面８００で素材ファイルを選択した図、図１１は、素材情報詳細画面１１００の一例を示す図、図１２は、トリミング情報画面１２００の一例を示す図、図１３は、トリミング情報画面１２００の入力の一例を示す図、図１４は、トリミング情報の一括登録の動作のフローチャート、図１５は、トリミング情報テキストファイル１５００の一例を示す図、図１６は、メイン画面８００上での素材情報インポートの選択を示す図、図１７は、素材情報構造指定画面１７００の一例を示す図、図１８は、インポートファイル指定画面１８００の一例を示す図、図１９は、インポートファイル設定画面１９００の一例を示す図、図２０は、インポート処理設定画面２０００の一例を示す図、図２１は、インポート内容確認画面２１００の一例を示す図である。
【００４３】
ユーザ１０４は、データベースシステム１００の情報検索処理のため、ユーザログインをする。
図７に示すように、端末装置１０３のユーザ１０４は、ＷＷＷブラウザ１０２を介して指定したサーバ１０１のＵＲＬ(Uniform Resource Locators)を用いて、制御部４０１はサーバ１０１にアクセスする。そして、制御部４０１は表示部４０７上にサーバ１０１から受信したログイン画面を表示し、ユーザ１０４が端末装置１０３の入力部４０５を介して入力したユーザＩＤ、パスワードを、ネットワーク１０９を介してサーバ１０１に送信する（ステップ７０１）。
【００４４】
サーバ１０１の制御部２０１は、ＷＷＷサーバ１０１を介してユーザＩＤとパスワードを受信し、ユーザ認証を行う（ステップ７０２）。以降、端末１０３とサーバ１０１との間でのデータの送受信は、ＷＷＷブラウザ１２０、ネットワーク１０９及びＷＷＷサーバ１１０を介して行われる。
【００４５】
サーバ１０１の制御部２０１は、ユーザの認証が正しく行われた場合、メイン画面データを端末装置１０３に送信する（ステップ７０３）。メイン画面は、ユーザ１０４が商品情報データベース３０１の検索、閲覧、素材ファイルの管理等を行うための画面である。
【００４６】
端末装置１０３の制御部４０１は、受信したメイン画面８００を表示する（ステップ７０４）。
【００４７】
図８に示すように、メイン画面８００は、作業箱一覧８０２、グループ一覧８０４、情報一覧８０６等を有する。
【００４８】
作業箱一覧８０２は、ユーザ１０４が商品情報データベース３０１に保持される複数の商品のレコードを、ある検索条件でグループ化した作業箱の一覧を表示する。
情報一覧８０６は、管理している素材ファイルの一覧を表示するもので、素材ファイルの画像、ファイル名、元ファイル名を含む。
【００４９】
商品情報データベース３０１への素材ファイルのトリミング情報の登録は、素材ファイル毎にトリミング情報を登録する遂次登録と、複数の素材ファイルに対して一括してトリミング情報を登録する一括登録の二つの方法がある。
図９は、トリミング情報を遂次登録する動作のフローチャートである。
ユーザ１０４は、メイン画面８００の情報一覧８０６上で端末装置１０３のマウス等の入力部４０５を用いてクリックすることにより、図１０に示すように一つの素材ファイル「Ｍａｔ００１５０５．ｅｐｓ」を選択し、選択画像１００２上でダブルクリックする（ステップ９０１）。
【００５０】
端末装置１０３の制御部４０１は、選択された素材ファイル「Ｍａｔ００１５０５．ｅｐｓ」の素材詳細画面１１００を表示する（ステップ９０２）。
【００５１】
図１１に示すように、素材詳細画面１１００は画像１１０２、素材情報１１０４、トリミング情報ボタン１１０６、閉じるボタン１１０８等を有する。
素材情報１１０４は、ファイル名、元ファイル名、ファイル形式、最終更新日、ファイルサイズ、高さ、幅、解像度、カラーモード、プロファイル、エンコードタイプ、Ｍａｃｉｎｔｏｓｈファイル、作成アプリケーション、作成時ファイル名等を含む。
【００５２】
ユーザ１０４が、トリミング情報ボタン１１０６をクリックすると（ステップ９０３）、端末装置１０３の制御部４０１はトリミング情報画面１２００を表示する（ステップ９０４）。
図１２に示すように、トリミング情報画面１２００はトリミング名１２０２、オフセットＸ１２０４、オフセットＹ１２０６、切抜き幅１２０８、切抜き高さ１２１０、倍率Ｘ１２１２、倍率Ｙ１２１４、回転角１２１６、追加ボタン１２１８、削除ボタン１２２０、ＯＫボタン１２２２、キャンセルボタン１２２４等を有する。
【００５３】
ユーザ１０４は、端末装置１０３のマウス等の入力部４０５を用いて追加ボタン１２１８をクリックし、図１３に示すように項目値１２２６を追加する。そして、取得した使用画像リスト出力テキストファイル６００を参照しながら、項目値１２２６を入力する（ステップ９０５）。
トリミング名１２０２の項目値は、作成するカタログ名である。オフセットＸ１２０４の項目値は使用画像リスト出力テキストファイル６００のオフセットＸ６０８に、オフセットＹ１２０６の項目値はオフセットＹ６１０に、切抜き幅１２０８の項目値はボックス幅Ｗ６１２に、切抜き高さ１２１０の項目値はボックス幅Ｈ６１４に、倍率Ｘ１２１２の項目値は倍率Ｘ６１６に、倍率Ｙ１２１４の項目値は倍率Ｙ６１８に、回転角１２１６の項目値は角度６２０に対応している。
【００５４】
ユーザ１０４がＯＫボタン１２２２をクリックすると、端末装置１０３の制御部４０１は、トリミング情報画面１２００上で入力されたトリミング情報をサーバ１０１に送る（ステップ９０６）。
サーバ１０１の制御部２０１は、受信したトリミング情報を選択された素材ファイル「Ｍａｔ００１５０５．ｅｐｓ」のトリミング情報として商品情報データベース３０１に登録する（ステップ９０７）。
【００５５】
図１４は、トリミング情報を一括登録する動作のフローチャートである。
ユーザ１０４は、取得した使用画像リスト出力テキストファイル６００を参照しながら、端末装置１０３上でエディタ等を用いてトリミング情報テキストファイル１５００を作成する（ステップ１４０１）。
【００５６】
トリミング情報テキストファイル１５００は、トリミング情報を一括登録する素材ファイルのトリミング情報を含むテキストファイルで、図１５に示すようにファイル名１５０２、トリミング名１５０４、オフセットＸ１５０６、オフセットＹ１５０８、切抜き幅１５１０、切抜き高さ１５１２、倍率Ｘ１５１４、倍率Ｙ１５１６、回転１５１８の項目値を有し、各項目値は使用画像リスト出力テキストファイル６００のファイル名６０６、オフセットＸ６０８、オフセットＹ６１０、ボックス幅Ｗ６１２、ボックス幅Ｈ６１４、倍率Ｘ６１６、倍率Ｙ６１８、角度６２０に対応している。トリミング名１５０４は、作成するカタログの名前である。
各項目値間はタブで区切られ、一つの素材ファイルのトリミング情報を１行とする。
【００５７】
図１６に示すように、ユーザ１０４がメイン画面８００の「ファイル」メニューから「入力」、「素材情報インポート」を選択すると（ステップ１４０２）、端末装置１０３の制御部４０１は素材情報インポートウィザードを表示する。ユーザ１０４は、素材情報インポートウィザードに従って、素材ファイルへのトリミング情報一括登録のためのインポートファイルの指定、素材インポートの設定等を行う（ステップ１４０３）。
【００５８】
端末装置１０３の制御部４０１は、まず素材情報構造指定画面１７００を表示する。図１７に示すように、素材情報構造指定画面１７００は、素材情報構造１７０２、キャンセルボタン１７０４、次へボタン１７０６等を有する。
ユーザ１０４は、素材情報構造１７０２のプルダウンメニューから素材の構造を選択し、次へボタン１７０６をクリックする。
【００５９】
端末装置１０３の制御部４０１は、インポートファイル指定画面１８００を表示する。図１８に示すように、インポートファイル指定画面１８００は、インポートファイル選択１８０２、テキストファイル選択１８０４、キャンセルボタン１８０６、戻るボタン１８０８、次へボタン１８１０等を有する。
素材ファイルのトリミング情報を登録する場合、ユーザ１０４はインポートファイル選択１８０２で「テキストファイルのみ」をラジオボタンで選択し、「トリミング情報」と指定する。テキストファイル選択１８０４には、作成したトリミング情報テキストファイル１５００のパスとファイル名を選択し、次へボタン１８１０をクリックする。
【００６０】
端末装置１０３の制御部４０１は、インポートファイル設定画面１９００を表示する。図１９に示すように、インポートファイル設定画面１９００は、インポートファイル内容１９０１、チェックボタン１９０２、キャンセルボタン１９０４、戻るボタン１９０６、次へボタン１９０８等を有する。
【００６１】
インポートファイル内容１９０１は、インポートファイル指定画面１８００のテキストファイル選択１８０４で指定したトリミング情報テキストファイル１５００の内容が表示する。
チェックボタン１９０２は、トリミング情報テキストファイル１５００の１行目が項目値か、あるいは、項目名かを指定するもので、１行目が項目名の場合、チェックボタン１９０２をチェックすることにより、インポートファイル内容１９０１に１行目を表示しないようにする。
ユーザ１０４は、インポートファイル内容１９０１を確認し、次へボタン１９０８をクリックする。
【００６２】
端末装置１０３の制御部４０１は、インポート処理設定画面２０００を表示する。図２０に示すように、インポート処理設定画面２０００は、登録／更新設定２００２、プロファイル設定２００４、エラー設定２００６、キャンセルボタン２００８、戻るボタン２０１０、次へボタン２０１２を有する。
ユーザ１０４は、登録／更新設定２００２で新規登録と更新処理を行うか、更新処理のみを行うか、あるいは、新規登録処理のみを行うかを選択し、次へボタン２０１２をクリックする。
【００６３】
端末装置１０３の制御部４０１は、インポート内容確認画面２１００を表示する。図２１に示すように、インポート内容確認画面２１００はインポートファイル内容２１０２、インポート設定内容２１０４、キャンセルボタン２１０６、戻るボタン２１０８、完了ボタン２１１０等を有する。
ユーザ１０４は、インポートファイル内容２１０２、インポート設定内容２１０４を確認し、完了ボタン２１１０をクリックすると、端末装置１０３の制御部４０１は、ユーザ１０４による素材インポートの設定内容をサーバ１０１に送る（ステップ１４０４）。
【００６４】
サーバ１０１の制御部２０１は、インポートファイル内容２１０２に従って、素材ファイルのトリミング情報を商品情報データベース３０１に登録する（ステップ１４０５）。
【００６５】
次に、図２２、２３、２４、２５、２６、２７を参照しながら、素材ファイルの変換出力の動作を説明する。図２２は、素材ファイル変換出力の動作のフローチャート、図２３は、メイン画面８００で素材ファイル出力を選択した図、図２４は、出力対象設定画面２４００の一例を示す図、図２５は、素材変換設定画面２５００の一例を示す図、図２６は、素材変換処理前の画像の一例を示す図、図２７は、素材変換処理後の画像の一例を示す図である。
【００６６】
ユーザ１０４は、図２３に示すように、メイン画面８００の情報一覧８０６に表示された素材ファイルの中から、変換出力を行う素材ファイル「Ｍａｔ００１５０３．ｅｐｓ」、「Ｍａｔ００１５０４．ｅｐｓ」、「Ｍａｔ００１５０５．ｅｐｓ」を選択して右クリックをすると、端末装置１０３の制御部４０１はメニュー２３０２を表示する。ユーザ１０４は、メニュー２３０２から「素材ファイル出力」を選択する（ステップ２２０１）。
【００６７】
ユーザ１０４は、端末装置１０３の制御部４０１が表示する素材出力ウィザードに従って、素材変換設定を行う（ステップ２２０２）。
まず、端末装置１０３の制御部４０１は、出力対象設定画面２４００を表示する。図２４に示すように、出力対象設定画面２４００は、構造２４０２、種別２４０４、変換出力２４０６、変換設定ボタン２４０８、キャンセルボタン２４１０、次へボタン２４１２等を有する。
【００６８】
ユーザ１０４は、構造２４０２、種別２４０４を選択し、ラジオボタンにより変換出力２４０６を「する」に指定し、変換設定ボタン２４０８をクリックする。
【００６９】
端末装置１０３の制御部４０１は、素材変換設定画面２５００を表示する。素材変換設定画面２５００は、サイズ２５０２、パスの処理２５０４、色変換・カラーマネジメント２５０６、トリミング名２５１０、保存形式設定２５１２、保存ボタン２５１４、クリアボタン２５１６、ＯＫボタン２５１８、キャンセルボタン２５２０等を有する。
ユーザ１０４は、トリミング名２５１０のプルダウンメニューより、選択した素材ファイル「Ｍａｔ００１５０３．ｅｐｓ」、「Ｍａｔ００１５０４．ｅｐｓ」、「Ｍａｔ００１５０５．ｅｐｓ」を使用するカタログのためのトリミング名を選択し、ＯＫボタン２５１８をクリックする。
【００７０】
端末装置１０３の制御部４０１は、選択された素材ファイル名「Ｍａｔ００１５０３．ｅｐｓ」、「Ｍａｔ００１５０４．ｅｐｓ」、「Ｍａｔ００１５０５．ｅｐｓ」と、ユーザ１０４が選択した素材変換設定をサーバ１０１に送る（ステップ２２０３）。
【００７１】
サーバ１０１の制御部２０１は、選択された素材ファイル「Ｍａｔ００１５０３．ｅｐｓ」、「Ｍａｔ００１５０４．ｅｐｓ」、「Ｍａｔ００１５０５．ｅｐｓ」を受信した素材変換設定に従って変換出力する（ステップ２２０４）。
例えば、図２６に示す素材ファイル「Ｍａｔ００１５０５．ｅｐｓ」は、変換出力により図２７のようになる。
変換出力された素材ファイルは、そのままカタログ制作でのＤＴＰに利用することができる。
【００７２】
以上、説明したように本実施によれば、カタログ毎のトリミング情報を管理し、複数の素材ファイルに対して一括してトリミング処理を行うデータベースシステム等を提供できる。
【００７３】
カタログ毎に、テキストファイルとして素材ファイルのトリミング情報を管理し、一括して複数素材ファイルをトリミング処理して変換出力できるため、効率的にカタログ制作を行うことができる。
【００７４】
更に、カタログ毎にトリミング処理した素材ファイルを管理する方法と比べて、カタログ毎のトリミング情報を管理する方が非常に容易となり、また、カタログ制作のために保持するデータ量が大幅に低減する。
【００７５】
以上、添付図面を参照しながら本発明に係るデータベースシステムの好適な実施形態について説明したが、前述した実施の形態に限定されない。当業者であれば、特許請求の範囲に記載された技術的思想の範疇内において各種の変更例または修正例に想到し得ることは明らかであり、それらについても当然に本発明の技術的範囲に属するものと了解される。
【図面の簡単な説明】
【００７６】
【図１】データベースシステム１００の構成を示すブロック図
【図２】サーバ１０１のハードウエア構成の１例を示す図
【図３】サーバ１０１の記憶装置２０２の詳細を示す図
【図４】端末装置１０３のハードウエア構成の１例を示す図
【図５】使用画像リスト出力設定画面５００の一例を示す図
【図６】使用画像リスト出力テキストファイル６００の一例を示す図
【図７】データベースシステム１００のユーザログイン時の動作のフローチャート
【図８】メイン画面８００の一例を示す図
【図９】トリミング情報の遂次登録の動作のフローチャート
【図１０】メイン画面８００で素材ファイルを選択した図
【図１１】素材情報詳細画面１１００の一例を示す図
【図１２】トリミング情報画面１２００の一例を示す図
【図１３】トリミング情報画面１２００の入力の一例を示す図
【図１４】トリミング情報の一括登録の動作のフローチャート
【図１５】トリミング情報テキストファイル１５００の一例を示す図
【図１６】メイン画面８００上での素材情報インポートの選択を示す図
【図１７】素材情報構造指定画面１７００の一例を示す図
【図１８】インポートファイル指定画面１８００の一例を示す図
【図１９】インポートファイル設定画面１９００の一例を示す図
【図２０】インポート処理設定画面２０００の一例を示す図
【図２１】インポート内容確認画面２１００の一例を示す図
【図２２】素材ファイル変換出力の動作のフローチャート
【図２３】メイン画面８００で素材ファイル出力を選択した図
【図２４】出力対象設定画面２４００の一例を示す図
【図２５】素材変換設定画面２５００の一例を示す図
【図２６】素材変換処理前の画像の一例を示す図
【図２７】素材変換処理後の画像の一例を示す図
【符号の説明】
【００７７】
１００………データベースシステム
１０１………サーバ
１０３………端末装置
１０４………ユーザ
１０５………サーバ管理者
１０９………ネットワーク
１１０………ＷＷＷサーバ
１１１………データベース操作手段
１１２………データベースサーバ管理手段
１１３………データベース管理手段
１２０………ＷＷＷブラウザ
２０１、４０１………制御部
２０２、４０２………記憶装置
３０１………商品情報データベース
【図１】
2006268270.tif 000003
【図２】
2006268270.tif 000004
【図３】
2006268270.tif 000005
【図４】
2006268270.tif 000006
【図５】
2006268270.tif 000007
【図６】
2006268270.tif 000008
【図７】
2006268270.tif 000009
【図８】
2006268270.tif 000010
【図９】
2006268270.tif 000011
【図１０】
2006268270.tif 000012
【図１１】
2006268270.tif 000013
【図１２】
2006268270.tif 000014
【図１３】
2006268270.tif 000015
【図１４】
2006268270.tif 000016
【図１５】
2006268270.tif 000017
【図１６】
2006268270.tif 000018
【図１７】
2006268270.tif 000019
【図１８】
2006268270.tif 000020
【図１９】
2006268270.tif 000021
【図２０】
2006268270.tif 000022
【図２１】
2006268270.tif 000023
【図２２】
2006268270.tif 000024
【図２３】
2006268270.tif 000025
【図２４】
2006268270.tif 000026
【図２５】
2006268270.tif 000027
【図２６】
2006268270.tif 000028
【図２７】
2006268270.tif 000029